(57)【要約】【課題】  化学工場、半導体製造、金属、ガラスの加工、メッキ加工等に多用されるフッ素のフッソ含有排水の処理方法であって、極めて簡単な操作方法により、従来設備を使用してスラッジ量で低コストで処理し、更にフッ素と重金属化合物を含有する排液を同時に除去処理できるようにする。【解決手段】  ｐＨ４以上のフッ素含有排水に或はｐＨ４以上になるように該排水にカルシウム化合物を加える。下記一般式は（１）、（２）で表される化合物、糖リン酸エステル、フィチン酸から選ばれる少なくとも一種の化合物を該排水に加える。  一般式（１）【化１】2005224670.tif 000022  一般式（２）【化２】2005224670.tif 000023  上記一般式（１）、（２）中、Ｒ１〜Ｒ６は夫々水素原子、ホスホン酸基を表し、お互いに同じでも異なっていてもよい。Ｒ１〜Ｒ６の何れかがホスホン酸基の場合、ホスホン酸基を介して他の一般式（１）、（２）で表される単位構造と連結してもよい。【特許請求の範囲】
【請求項１】
水中に含まれるフッ素イオンを除去する方法に於いて、被処理液にカルシウム化合物を添加し、ｐＨ４以上の状態で、下記一般式（１）、（２）で表される化合物、糖リン酸エステル、フィチン酸から選ばれる少なくとも一種の化合物を添加することを特徴とするフッ素含有排水の処理方法。
一般式（１）
【化１】
2005224670.tif 000016
一般式（２）
【化２】
2005224670.tif 000017
上記一般式（１）、（２）中、Ｒ１〜Ｒ６は夫々水素原子、ホスホン酸基を表し、お互いに同じでも異なっていてもよい。Ｒ１〜Ｒ６の何れかがホスホン酸基の場合、ホスホン酸基を介して他の一般式（１）、（２）で表される単位構造と連結してもよい。
【請求項２】
水中に含まれるフッ素イオンを除去する方法に於いて、被処理液にカルシウム化合物を添加し、ｐＨ４以上の状態で、下記一般式（１）、（２）で表される化合物、又は糖リン酸エステル、フィチン酸から選ばれる少なくとも一種の化合物、更に多価金属化合物を添加することを特徴とするフッ素含有排水の処理方法。
一般式（１）
【化３】
2005224670.tif 000018
一般式（２）
【化４】
2005224670.tif 000019
上記一般式（１）、（２）中、Ｒ１〜Ｒ６は夫々水素原子、ホスホン酸基を表し、お互いに同じでも異なっていてもよい。Ｒ１〜Ｒ６の何れかがホスホン酸基の場合、ホスホン酸基を介して他の一般式（１）、（２）で表される単位構造と連結してもよい。
【請求項３】
多価金属化合物がアルミニウム塩、鉄塩、マグネシウム塩の何れかであることを特徴とする請求項２に記載のフッ素含有排水の処理方法。
【請求項４】
多価金属化合物の添加量は、多価金属として５〜５００ｐｐｍであることを特徴とする請求項２又は３の何れかの項に記載のフッ素含有排水の処理方法。
【請求項５】
被処理液のｐＨを８〜１１に調整してフッ素化合物及び／又は重金属化合物を凝集させることを特徴とする請求項１乃至４の何れかの項に記載のフッ素含有排水の処理方法。
【請求項６】
有機系凝集剤を添加することことを特徴とする請求項１〜５の何れかの項に記載のフッ素含有排水の処理方法。
【請求項７】
一般式（１）、（２）で表される化合物又は糖リン酸エステル、フィチン酸の添加量は、排水中のフッ素イオン１重量部に対し、０．１〜５．０重量部であることを特徴とする請求項１乃至６の何れかの項に記載のフッ素含有排水の処理方法。
一般式（１）
【化５】
2005224670.tif 000020
一般式（２）
【化６】
2005224670.tif 000021
上記一般式（１）、（２）中、Ｒ１〜Ｒ６は夫々水素原子、ホスホン酸基を表し、お互いに同じでも異なっていてもよい。Ｒ１〜Ｒ６の何れかがホスホン酸基の場合、ホスホン酸基を介して他の一般式（１）、（２）で表される単位構造と連結してもよい。
【請求項８】
フッ素イオンを除去した後、硫酸塩、炭酸塩、リン酸塩から選ばれる少なくとも１つの化合物を添加して、被処理水中に溶存するカルシウムを不溶性物質として除去する工程を含むことを特徴とする請求項１〜７の何れかの項に記載のフッ素含有排水の処理方法。
【発明の詳細な説明】
【技術分野】
【０００１】
本発明はフッ素を含有する排水の処理方法に関するものであり、更に詳しくは排水中に含まれるフッ素イオンを一段処理で低濃度まで除去する処理方法に関するものである。更に、フッ素と共に重金属化合物を含有する排水の処理方法に関するものである。
【背景技術】
【０００２】
フッ素化合物は、化学工場や半導体製造、金属・ガラスの加工、メッキ加工等の業界に於いて大量に使用される有用な物質であるが、その人体・環境に対する有害性からそれらを含有する排水には排出基準値が設けられ、厳しい排出規制が行われている。
【０００３】
一般的な排水中のフッ素除去の方法としては、フッ素含有排水に消石灰、塩化カルシウム等のカルシウム化合物を添加し、更にｐＨを調整してフッ化カルシウムを沈殿させ、固液分離する方法が採られている。
しかしながらこの方法では、フッ素に対して過剰のカルシウムイオンを必要とし、又大量のカルシウムイオンを使用しても、そのフッ化カルシウムの溶解度から１０数ｐｐｍのフッ素イオンが残留してしまう。
【０００４】
水質汚濁防止法が定めるフッ素の排水基準値は１５ｐｐｍ以下であるが、近年の環境保全の観点から８ｐｐｍ以下に規制が強化されることになった。然し、カルシウム化合物による従来の方法では、この新基準値をクリアすることはできない。
このため複数の沈殿槽を用い、最終的に排水中に残ったフッ素をフッ素吸着樹脂で処理する方法が提案されている。（特許文献１参照）
この方法は、フッ素濃度を基準値以下に下げることが可能であるが、複数の処理槽が必要で、然も吸着樹脂の再生等のメンテナンスが必要となり、設備や処理工程の煩雑さから、小規模の事業者にとっては必ずしも好適な方法とは云い難い。
【０００５】
フッ素吸着樹脂を使用せずに、排出基準値以下とするため、アルミニウム化合物を添加して水酸化アルミニウムゲルを生成させ、これにフッ素イオンを吸着される所謂高度処理法が提案されている。（特許文献２参照）
この方法は、大量にアルミニウム化合物を加えなければならず、又生成するスラッジも膨大になり、更にスラッジの凝集性が悪く脱水が困難となる等処理操作、費用等の問題が多い。
更に、この方法の場合も凝集槽と沈殿分離槽の２段処理が必要であり、１槽だけのところでは設備の増強が必要となる。
【０００６】
又、上記のような化学工場や半導体製造、金属・ガラスの加工、メッキ加工等の工場排水は、フッ素以外に銅、亜鉛、クロム等の重金属化合物も含有する場合があるが、これら重金属化合物についても排水中から除去する必要がある。
更に、上記のようにフッ素の処理はカルシウム化合物により行われるが、一般的にカルシウムの添加量はフッ素イオンに対して過剰に添加されるため、排水中にカルシウムが残存することになり、このカルシウムが配管内で析出して、つまりの原因となる所謂カルシウムスケールの問題があった。
【０００７】
【特許文献１】特開平５−９２１８７号公報
【特許文献２】特開平９−１９２６７５号公報
【発明の開示】
【発明が解決しようとする課題】
【０００８】
本発明は、上記のような従来の処理方法の欠点を改善し、何等の設備追加を必要とせず極めて簡単な操作、低廉なコストで少ないスラッジ量で排水中のフッ素濃度を排水基準値である８ｐｐｍ以下とすることができるフッ素含有排水の処理方法を提供することを目的とし、更にはフッ素と共に重金属化合物を含有する排水から、フッ素と重金属化合物を同時に除去する処理方法を提供することを目的とする。
【課題を解決するための手段】
【０００９】
本発明の目的は下記（１）〜（８）の手段によって解決される。
（１）水中に含まれるフッ素イオンを除去する方法に於いて、被処理液にカルシウム化合物を添加し、ｐＨ４以上の状態で、下記一般式（１）、（２）で表される化合物、糖リン酸エステル、フィチン酸から選ばれる少なくとも一種の化合物を添加することを特徴とするフッ素含有排水の処理方法。
一般式（１）
【化７】
2005224670.tif 000002
一般式（２）
【化８】
2005224670.tif 000003
上記一般式（１）、（２）中、Ｒ１〜Ｒ６は夫々水素原子、ホスホン酸基を表し、お互いに同じでも異なっていてもよい。Ｒ１〜Ｒ６の何れかがホスホン酸基の場合、ホスホン酸基を介して他の一般式（１）、（２）で表される単位構造と連結してもよい。
（２）水中に含まれるフッ素イオンを除去する方法に於いて、被処理液にカルシウム化合物を添加し、ｐＨ４以上の状態で、下記一般式（１）、（２）で表される化合物、又は糖リン酸エステル、フィチン酸から選ばれる少なくとも一種の化合物、更に多価金属化合物を添加することを特徴とするフッ素含有排水の処理方法。
一般式（１）
【化９】
2005224670.tif 000004
一般式（２）
【化１０】
2005224670.tif 000005
上記一般式（１）、（２）中、Ｒ１〜Ｒ６は夫々水素原子、ホスホン酸基を表し、お互いに同じでも異なっていてもよい。Ｒ１〜Ｒ６の何れかがホスホン酸基の場合、ホスホン酸基を介して他の一般式（１）、（２）で表される単位構造と連結してもよい。
（３）多価金属化合物がアルミニウム塩、鉄塩、マグネシウム塩の何れかであることを特徴とする請求項２に記載のフッ素含有排水の処理方法。
（４）多価金属化合物の添加量は、多価金属として５〜５００ｐｐｍであることを特徴とする請求項２又は３の何れかの項に記載のフッ素含有排水の処理方法。
（５）被処理液のｐＨを８〜１１に調整してフッ素化合物及び／又は重金属化合物を凝集させることを特徴とする請求項１乃至４の何れかの項に記載のフッ素含有排水の処理方法。
（６）有機系凝集剤を添加することことを特徴とする請求項１〜５の何れかの項に記載のフッ素含有排水の処理方法。
（７）一般式（１）、（２）で表される化合物又は糖リン酸エステル、フィチン酸の添加量は、排水中のフッ素イオン１重量部に対し、０．１〜５．０重量部であることを特徴とする請求項１乃至６の何れかの項に記載のフッ素含有排水の処理方法。
一般式（１）
【化１１】
2005224670.tif 000006
一般式（２）
【化１２】
2005224670.tif 000007
上記一般式（１）、（２）中、Ｒ１〜Ｒ６は夫々水素原子、ホスホン酸基を表し、お互いに同じでも異なっていてもよい。Ｒ１〜Ｒ６の何れかがホスホン酸基の場合、ホスホン酸基を介して他の一般式（１）、（２）で表される単位構造と連結してもよい。
（８）フッ素イオンを除去した後、硫酸塩、炭酸塩、リン酸塩から選ばれる少なくとも１つの化合物を添加して、被処理水中に溶存するカルシウムを不溶性物質として除去する工程を含むことを特徴とする請求項１乃至１０の何れかの項に記載のフッ素含有排水の処理方法。
【発明の効果】
【００１０】
本発明によれば、フッ素を含有する排水から一次処理設備のみで、少ないスラッジ量で排水中のフッ素濃度を８ｐｐｍ以下とすることができる。更に本発明によれば、フッ素と共に重金属化合物を含有する排水から、フッ素、重金属化合物を同時に除去することができる。
更に、本発明に従えば、フッ素を除去した処理水からフッ素を再溶出することなく、余剰のカルシウムを除去することが可能となり、カルシウムスケールの発生を抑えることができる。
【発明を実施するための最良の形態】
【００１１】
以下、本発明を詳細に説明する。
本発明の排水の処理方法は、フッ素イオンを含有した排水、フッ素イオンと共に重金属化合物を含有する排水を対象とする。フッ素イオンがホウ素と共にホウフッ化水素酸塩を形成している場合は、ホウフッ化水素酸塩の分解行程を行った後、本発明の処理方法を適用してもよい。フッ素イオン、重金属化合物を含有する排水は、例えばメッキ加工業者、ガラス加工業者などから排出される排水などが挙げられるが、これに限定するものではない。
【００１２】
本発明は、水中に含まれるフッ素イオンを除去する方法に於いて、ｐＨ４以上の被処理水に対し、或はｐＨ４以上になるようにカルシウム化合物と、下記一般式（１）、（２）で表される化合物、糖リン酸エステル、フィチン酸から選ばれる少なくとも一種の化合物を添加することを特徴とする。
一般式（１）
【化１３】
2005224670.tif 000008
一般式（２）
【化１４】
2005224670.tif 000009
上記一般式（１）、（２）中、Ｒ１〜Ｒ６は夫々水素原子、ホスホン酸基を表し、お互いに同じでも異なっていてもよい。Ｒ１〜Ｒ６の何れかがホスホン酸基の場合、ホスホン酸基を介して他の一般式（１）、（２）で表される単位構造と連結してもよい。
【００１３】
本発明に用いられるカルシウム化合物としては、少なくともその一部が排水中で溶解してカルシウムイオンを放出し、フッ素イオンと共に難溶性のフッ化カルシウムを形成するものであり、塩化カルシウム、水酸化カルシウム、炭酸カルシウム、硫酸カルシウム、リン酸カルシウム等が挙げられるが、これに限定するものではない。
カルシウム化合物の添加量は、排水中に含まれるフッ素濃度が５０ｐｐｍ以上であれば、そのフッ素濃度の当量以上であればよいが、過剰の添加はスラッジ増加の原因となるため、当量〜５倍当量、より好ましくは１．２倍〜４倍当量である。
排水中に含まれるフッ素濃度が５０ｐｐｍ以下のときは、排水中のカルシウム濃度として２００ｐｐｍ以上、より好ましくは３００ｐｐｍ以上とすればよい。
【００１４】
次に、一般式（１）、（２）で表される化合物について説明する。
一般式（１）、（２）で表される化合物の具体例として、下記表１に示したものが挙げられる。
【表１】
2005224670.tif 000010
【００１５】
一般式（１）又は（２）に於いて、Ｒ１〜Ｒ６はお互いに同じでも異なっていてもよく、各々水素原子又はホスホン酸基を示す。ここで云うホスホン酸基の導入率とは、一般式（１）又は（２）で表される単位構造を含む水溶性高分子に含まれる、Ｒ１〜Ｒ６のうちホスホン酸基の割合（平均値）を云う。好ましい範囲としては０．５〜３が好ましく。更に、好ましくは０．８〜２．５が好ましい。
【００１６】
本発明に用いる一般式（１）又は（２）は、デンプン及びセルロースを構成するグルコースの水酸基にリン酸がエステル結合したものである。本発明では、１個のリン酸に１個のグルコースが結合したモノグルコース型、１個或はそれ以上のリン酸を挟んで２個のグルコースが架橋状に結合した架橋型及びそれらの塩を単独で又は併せて用いられる。
尚、水に対する溶解性と云う点から、モノグルコース型の化合物を単独で用いるか又はモノグルコース型の混合比の高いものを用いることが好ましい。リン酸エステル結合のうち、架橋型の割合は２０％以下が好ましく、更に好ましくは１０％以下が好ましい。
【００１７】
次に糖リン酸エステルについて説明する。糖リン酸エステルとして、具体的にはα−Ｄ−グルコピラノース１−リン酸、α−Ｄ−フルクトフラノース６−リン酸、α−Ｄ−グルコピラノース６−リン酸、α−Ｄ−フルクトフラノース１，６−ニリン酸等が挙げられる。
一般式（１）又は（２）で表される化合物又はフィチン酸、糖リン酸エステル化合物の添加量は、排水中のフッ素イオン１重量部に対して０．１〜５．０重量部、好ましくは０．５〜３．５重量部である。
【００１８】
本発明に記載される一般式（１）又は（２）で表される化合物は、デンプンやセルロースをｐＨ７〜８のリン酸ソーダ水溶液に浸漬し濾過乾燥したものを、減圧又は常圧下に１２０〜１９０℃で焙焼する方法で容易に合成できる。又、これらの合成物は、高分子論文集Ｖｏｌ．３９，Ｎｏ．４，ｐｐ２９３〜２９８，Ａｐｒ１９８２に記載される方法で確認を行うことが出来る。
又、市販品を使用することもできる。具体的には、日澱化学株式会社より「ブリバイン（登録商標）」シリーズ、ブリバインＰ−６３として、日本食品化工株式会社より尿素リン酸エステル化でん粉として、日食ＭＳ＃４４００、日食ＭＳ＃４６００、日食スターコート＃１４・＃１６・＃１８として市販されているものや、或は、王子コーンスターチ株式会社のリン酸エステル澱粉等が好適に使用できる。
本発明では、このブリバインＰ−６３を化合物１として、日食スターコート＃１４を化合物２として処理を行った。
【００１９】
本発明により、フッ素イオンを除去するためには、カルシウム化合物と一般式（１）、（２）の化合物又は糖リン酸エステル類、フィチン酸から選ばれる少なくとも一種の化合物を添加すればよいが、被処理水のｐＨが４以下の場合は、ｐＨを４以上に調整する必要がある。ｐＨの調整時期は、カルシウム化合物の添加前であっても添加後でも構わないが、一般式（１）、（２）の化合物又は糖リン酸エステル類、フィチン酸の添加前に、被処理液をｐＨ４以上に調製しておくことによってフッ素を効率よく除去することができる。
ｐＨを４以上に調整するためには、水酸化ナトリウム、水酸化カリウム、炭酸ナトリウム、炭酸カリウム、水酸化カルシウム等のアルカリ性物質が用いられるが、これに限定するものではない。尚、アルカリ性物質として水酸化カルシウムを使用すれば、カルシウムイオンの供給とｐＨ調整が同時に行えるため好ましい。
【００２０】
本発明の処理方法は、多価金属化合物を併用することが好ましい。これらを併用することで、凝結した微細な集合体を大きくすることができるため、凝結したフッ素化合物の沈降速度が速まり、水との分離を効率よく行うことが出来る。
多価金属化合物としては硫酸第１鉄、硫酸第２鉄、塩化第１鉄、塩化第２鉄のような鉄化合物、硫酸アルミニウム、塩化アルミニウムのようなアルミニウム化合物、硫酸マグネシウム、塩化マグネシウム、水酸化マグネシウムのようなマグネシウム化合物、塩化亜鉛などのような亜鉛化合物が挙げられるが、これに限定されるのではない。
多価金属化合物の添加量は、多価金属として５〜５００ｐｐｍ、より好ましくは１０〜２５０ｐｐｍである。過剰の添加はスラッジの増加を招くため好ましくない。
【００２１】
又、本発明の処理方法は、有機系の凝集剤を併用することが望ましい。有機系の凝集剤としては、ポリエチレンイミン、キトサン等のカチオン性有機系凝集剤、ポリアクリルアミド等のノニオン性有機系凝集剤、ポリアクリル酸、アクリルアミドとアクリル酸との共重合体及びその塩等のアニオン性有機系凝集剤が上げられるが、これらに限定されるものではない。又、その使用量は、凝集すればよく、特に制限は無い。
これらの有機系の凝集剤を添加することで、フッ素化合物のスラッジの嵩が小さくなり、効率よくスラッジ分離を行うことが出来る。
有機系の凝集剤は、被処理液に容易に可溶される場合、粉体で供給してもよいが、難溶の場合、予め水溶液の状態で供給することもできる。
【００２２】
排水中にフッ素の他に重金属化合物を含有しない場合、被処理水のｐＨを４以上に調整した後、カルシウム化合物及び一般式（１）、（２）の化合物又は糖リン酸エステル類、フィチン酸から選ばれる少なくとも一種の化合物を添加し、ｐＨが６〜１１程度であれば充分にフッ素を効率よく除去できるが、フッ素の他に重金属化合物を含有する場合、フッ素化合物と重金属化合物を同時に取り除くために、一般式（１）、（２）の化合物又は糖リン酸エステル類、フィチン酸から選ばれる少なくとも一種の化合物を添加した後、ｐＨを若干アルカリ性側に調整することが望ましい。ｐＨを若干アルカリ側に調整することで、一度にフッ素化合物と、重金属化合物を除去することが可能になる。具体的には、被処理水のｐＨを４以上に調整した後、カルシウム化合物及び一般式（１）、（２）の化合物又は糖リン酸エステル類、フィチン酸から選ばれる少なくとも一種の化合物を添加し、更にｐＨを８〜１１、好ましくはｐＨ９〜１０．５の間に調整する。
ｐＨの調整には、水酸化ナトリウム、水酸化カリウム、水酸化カルシウム等のアルカリ性物質、硫酸、塩酸、リン酸等の酸性物質が用いられるが、これに限定されるものではない。
この操作によって、フッ素イオンを不溶化させると共に、重金属化合物を水酸化物として沈殿させることにより、フッ素イオンと重金属化合物を同時に除去することができる。更に、フロック強度を高めるために、凝集剤を添加してもよい。
【００２３】
フッ素イオン除去後に、余剰のカルシウムイオンを除去する場合、硫酸塩、炭酸塩、リン酸塩を添加すればよい。硫酸塩としては、硫酸ナトリウム、硫酸カリウム、炭酸塩としては、炭酸ナトリウム、炭酸カリウム、炭酸水素ナトリウム、炭酸水素カリウム、リン酸塩としては、リン酸、リン酸カリウム、リン酸ナトリウム等が挙げられるがこれに限定されるものではない。
添加量は、残存しているカルシウム量に対して、０．２〜５倍当量、より好ましくは０．５〜２．５倍当量であり、所望の処理結果に合せて適宜調整すればよい。この処理によってカルシウムイオンを完全に除去する必要はなく、排水中のカルシウムイオンが経時で析出することのない程度まで除去すれば本発明の目的は達せられる。
【実施例】
【００２４】
次に、実施例に従い本発明を、更に詳しく説明する。
実施例に於いてフッ素濃度の測定は、ＪＩＳ  Ｋ０１０２のランタン−アリザリンコンプレキソン法、重金属化合物の測定は原子吸光分析法で行った。
【００２５】
〔実施例１〕
フッ素５０ｐｐｍ〜１０００ｐｐｍを含有するモデル排水を作成し、以下のような操作を行い、処理後のフッ素濃度を測定した。
モデル排水  １−ア）フッ化水素酸水溶液（0.0053％）フッ素濃度   50ｐｐｍ
１−イ）フッ化水素酸水溶液（0.0106％）フッ素濃度  100ｐｐｍ
１−ウ）フッ化水素酸水溶液（0.0526％）フッ素濃度  500ｐｐｍ
１−エ）フッ化水素酸水溶液（0.1053％）フッ素濃度 1000ｐｐｍ
操作
フッ素に対して２倍当量に相当するカルシウムを添加（表２参照）し、更にＮａＯＨで表２記載のｐＨに調整した。３０分撹拌した後、表２記載のホスホン酸系化合物をモデル排水１ｌ当り０．２ｇ添加し、更にｐＨを塩酸で８に調整した。３０分静置し、沈殿物が沈降した後の上澄み液のフッ素濃度を測定した（本発明１〜１２）。
比較例として、ホスホン酸系化合物を添加しないで同様の処理を行った（比較例１〜５）。
初期フッ素濃度とカルシウム化合物の添加量及び処理後のフッ素濃度を表２に示す。
【表２】
2005224670.tif 000011
【００２６】
処理工程１３〜１７（比較例１〜５）に示すように、従来の処理方法であるカルシウム化合物による沈降分離の方法では、カルシウムを過剰に添加しても、フッ化カルシウムがある程度溶解してしまうため、排水基準値となる８ｐｐｍ以下ではクリアできないが、ホスホン酸系化合物を使用すればフッ素２倍程度のカルシウム添加量８ｐｐｍをクリアできる。
処理方法１８（比較例６）に示すように、本発明化合物を添加する前の被処理水のｐＨが４以下の場合、除去率が低くなるが、処理方法１〜１２に示すように、ｐＨを４以上とすれば充分な効果が得られる。
【００２７】
〔実施例２〕
実施例１の処理方法１〜４の処理工程と、この操作の後２７％硫酸バンド０．５ｇ／ｌを添加し、更に硫酸でｐＨ８．０に調整した。次いで、アクリルアミド−アクリル酸共重合体５ｐｐｍを添加して５分間攪拌し、１０分静置後の上澄み液のフッ素濃度とスラッジの嵩を測定した。
初期フッ素濃度とカルシウム化合物の添加量及びフッ素の処理結果を表３に示す。
【表３】
2005224670.tif 000012
【００２８】
化合物１と共にアルミニウム化合物、凝集剤を併用することで、フロックの沈降速度が大幅に速まり、更にフロック強度も強固になった。
【００２９】
〔実施例３〕
フッ素と共に重金属化合物を含有する排水として、モデル排水２として作成した。
モデル排水２  ：フッ化水素水溶液（0.0053）    フッ素  50ｐｐｍ
塩化亜鉛          0.10ｇ／ｌ  亜  鉛  50ｐｐｍ
塩化第２鉄        0.07ｇ／ｌ    鉄    20ｐｐｍ
モデル排水２のｐＨは２．８
このモデル排水２に水酸化カルシウムを０．７４ｇ／ｌ（カルシウムとして４００ｐｐｍ）添加した後、ｐＨを６．０に調整し、更に化合物１を０．２ｇ／ｌ添加し、表４のように調整した。
アクリルアミド−アクリル酸共重合体１０ｐｐｍを添加して５分間攪拌し、１０分間静置後の上澄み液のフッ素濃度、亜鉛濃度及び鉄濃度を測定した。
【表４】
2005224670.tif 000013
【００３０】
化合物１を添加することによって、全ての工程でフッ素濃度は８ｐｐｍ以下にすることが可能となっているが、更に、最終的に処理液ｐＨを表４の行程２５〜２９のようにｐＨを８〜１１にすることによって、重金属の残存量も同時に減少させることができ、更に好ましくはｐＨ９〜１０．５の間に調整することで、１ｐｐｍ以下までの廃水処理が可能となった。
【００３１】
〔実施例４〕
実施例１の本発明１〜４（処理工程１〜４）、比較例１〜４（処理工程１３〜１６）についてフッ素の処理を行った後、スラッジをろ過することなく、引続き炭酸水素ナトリウムを処理排水１ｌあたり表５に示す量添加して余剰のカルシウムイオンを沈降除去した。炭酸水素ナトリウム添加前と添加後のフッ素濃度及びカルシウム濃度を表５に示す。
【表５】
2005224670.tif 000014
【００３２】
表５に示す通り、処理工程３０〜３３のように、本発明の化合物を使用してフッ素除去工程を行った場合。余剰カルシウムを減らす処理を行っても、フッ素の再溶出は見られないが、本発明の化合物を使用しない処理工程３４〜３７の場合、余剰カルシウムを減らすことにより、フッ化カルシウムスラッジからフッ素の溶出が見られる。
【００３３】
又、処理工程１〜４、３０〜３３の上澄み液を塩ビ容器で１ヶ月間放置し、カルシウムスケールの発生の有無について観察した。その結果を表６に示す。
【表６】
2005224670.tif 000015
【００３４】
表６に示す通り、溶存カルシウム量が多いと、経時によりカルシウムスケールが発生するが、本発明に従い余剰カルシウムを除去するとスルシウムスケールは発生しない。